(57)【特許請求の範囲】
【請求項１】
表示部と、
第１の行事の予定開始時間および予定終了時間並びに第１の行事内に行われる第２の行事の予定開始時間および予定終了時間を記録したチェックポイントテーブルを記憶可能なチェックポイント管理部と、
ユーザーから前記第１の行事の開始および終了の通知並びに前記第２の行事の開始および終了の通知を受け付ける入力部と、
前記入力部が前記開始の通知を受け付けてからの経過時間を計時する時間管理部と、
色相環上の位置と、前記第１の行事の進捗度との対応および第２の行事の進捗度との対応を記憶した色彩管理部と、
前記チェックポイントテーブルと前記経過時間とに基づいて前記進捗度を計算し、
前記計算した進捗度に基づいて前記色彩管理部から色相環上の対応する位置にある色を取得し、
前記取得した色を前記表示部に表示させる制御部とを備え、
前記制御部は、
前記予定開始時刻を色相環上の第１の位置に対応させ、
前記予定終了時刻を色相環上の第２の位置に対応させ、
前記第１の位置を前記進捗度０％に対応させ、
前記第２の位置を前記進捗度１００％に対応させ、
前記第１の行事に対して、前記第１の位置から前記第２の位置まで、色相環上を特定の方向に前記進捗度に応じて移動される第３の位置に対応する色を前記表示部の第１の領域に表示させ、
前記第２の行事に対して、前記第１の位置から前記第２の位置まで、色相環上を特定の方向に前記進捗度に応じて移動される第３の位置に対応する色を前記表示部の第２の領域に表示させ、
前記制御部は、
前記第２の行事の前記予定終了時間と、前記第２の行事の前記経過時間とのずれを計算し、
前記色相環上の第４の位置を起点として、前記計算したずれに応じて移動される第５の位置に対応する色を前記表示部の第３の領域に表示させ、
前記制御部は、更に、
前記第２の行事が前記第２の行事の前記予定終了時間に終了していない場合、
前記第２の行事の前記予定終了時間になると、前記第２の行事が終了するまで、前記第３の領域に表示する色を前記第４の位置に対応する色から前記第５の位置に対応する色に変化させていき、前記第２の領域に表示する色を前記第２の位置に対応する色に維持する
電子機器。
【請求項２】
請求項１に記載の電子機器であって、
前記制御部は、
色相環上の前記第１の位置から前記第２の位置までの距離と前記進捗度とを非線形に対応させ、前記進捗度が増すと前記第３の位置の色相環上での移動速度が増すように制御する
電子機器。
【請求項３】
第１の行事の予定開始時間および予定終了時間並びに第１の行事内に行われる第２の行事の予定開始時間および予定終了時間を記録したチェックポイントテーブルと、ユーザーから前記第１の行事の開始および終了の通知並びに前記第２の行事の開始および終了の通知を受け付ける入力部がそれぞれの前記開始の通知を受け付けてからの経過時間とに基づいて前記第１および第２の行事の進捗度を計算し、
前記計算した進捗度に基づいて、色相環上の色と前記進捗度との対応を記憶した色彩管理部から色相環上の対応する位置にある色を取得し、
前記取得した色を表示部に表示させる制御部として
コンピューターを機能させるための情報表示プログラムであって、
前記予定開始時刻を色相環上の第１の位置に対応させ、
前記予定終了時刻を色相環上の第２の位置に対応させ、
前記第１の位置を前記進捗度０％に対応させ、
前記第２の位置を前記進捗度１００％に対応させ、
前記第１の行事に対して、前記第１の位置から前記第２の位置まで、色相環上を特定の方向に前記進捗度に応じて移動される第３の位置に対応する色を前記表示部の第１の領域に表示させ、
前記第２の行事に対して、前記第１の位置から前記第２の位置まで、色相環上を特定の方向に前記進捗度に応じて移動される第３の位置に対応する色を前記表示部の第２の領域に表示させ、
前記第２の行事の前記予定終了時間と、前記第２の行事の前記経過時間とのずれを計算し、
前記色相環上の第４の位置を起点として、前記計算したずれに応じて移動される第５の位置に対応する色を前記表示部の第３の領域に表示させ、
前記第２の行事が前記第２の行事の前記予定終了時間に終了していない場合、
前記第２の行事の前記予定終了時間になると、前記第２の行事が終了するまで、前記第３の領域に表示する色を前記第４の位置に対応する色から前記第５の位置に対応する色に変化させていき、前記第２の領域に表示する色を前記第２の位置に対応する色に維持させる
表示プログラム。
【発明の詳細な説明】
【技術分野】
【０００１】
本発明は、会議やプレゼンテーションの経過時間を管理する電子機器および表示プログラムに関する。
【背景技術】
【０００２】
会議やプレゼンテーションを当初予定された時間通りに進行させ、発表者や発言者、参加者に時間の経過を意識させるために、従来から様々な工夫がなされてきた。
【０００３】
例えば、特許文献１において開示された技術では、スクリーンに投影された、会議やプレゼンテーションの資料の画像を、次の画像に進める指示を出すリモートコントローラーの表示画面に、会議を開始してからの経過時間や特定の画像の表示時間、残り時間を提示し、発表者が経過時間を把握できるようにしている。
【０００４】
なお、特許文献１の技術では、表示画面の背景色を、最初は青色に設定しておき、発表時間が残り３分になると黄色に変え、残り１分になると赤色に変えるようにして、プレゼンテーションの進捗状況を色により報知することも出来る。
【０００５】
また、特許文献２において開示された技術では、スクリーンに投影された発表資料の画面の端に、経過時間や残り時間、画面毎の配分時間等を表示し、発表者が適切に時間配分できるようにしている。
【先行技術文献】
【特許文献】
【０００６】
【特許文献１】特開２００３−１６２２７４号公報
【特許文献２】特開２０１０−１８１５８３号公報
【発明の概要】
【発明が解決しようとする課題】
【０００７】
しかし、リモートコントローラーの表示画面上に残り時間の数値や残り時間に対応させた色を表示する場合、発表者が話に集中し過ぎると、表示画面をチェックし忘れてしまう可能性が高かった。
【０００８】
また、スクリーンに投影された発表資料の画面上に経過時間や残り時間を表示する場合、発表内容の画面と干渉してしまったり聴衆が発表内容と混同してしまったりする可能性が高かった。
【０００９】
以上のような事情に鑑み、本発明の目的は、会議やプレゼンテーションを邪魔せず、予定した時間配分と発表の進捗とのずれを発表者に直感的に伝達することが出来る電子機器および表示プログラムを提供することにある。
【課題を解決するための手段】
【００１０】
上記目的を達成するため、本発明の一形態に係る電子機器は、表示部と、行事の予定開始時間および予定終了時間を記録したチェックポイントテーブルを記憶可能なチェックポイント管理部と、ユーザーから前記行事の開始および終了の通知を受け付ける入力部と、前記入力部が前記開始の通知を受け付けてからの経過時間を計時する時間管理部と、色相環上の色と、前記行事の進捗度との対応を記憶した色彩管理部と、前記チェックポイントテーブルと前記経過時間とに基づいて前記進捗度を計算し、前記計算した進捗度に基づいて前記色彩管理部から色相環上の対応する色を取得し、前記取得した色を前記表示部に表示させる制御部とを備える。そのため、行事を邪魔せず、予定した時間配分と発表の進捗とのずれを発表者に直感的に伝達することが出来る。
【００１１】
上記目的を達成するため、本発明の一形態に係る電子機器では、前記制御部は、前記予定終了時間と、前記経過時間とのずれを計算し、計算したずれに応じて前記表示部に表示させる色を変更する構成でもよい。
【００１２】
上記目的を達成するため、本発明の一形態に係る電子機器では、前記制御部は、前記予定開始時刻を色相環上の第１の位置に対応させ、前記予定終了時刻を色相環上の第２の位置に対応させ、前記第１の位置を前記進捗度０％に対応させ、前記第２の位置を前記進捗度１００％に対応させ、前記第１の位置から前記第２の位置まで、色相環上を特定の方向に前記進捗度に応じて移動される第３の位置に対応する色を前記表示部に表示させる構成でもよい。
【００１３】
上記目的を達成するため、本発明の一形態に係る電子機器では、前記制御部は、色相環上の前記第１の位置から前記第２の位置までの距離と前記進捗度とを非線形に対応させ、前記進捗度が増すと前記第３の位置の色相環上での移動速度が増すように制御する構成でもよい。
【００１４】
上記目的を達成するため、本発明の一形態に係る情報表示プログラムは、行事の予定開始時間および予定終了時間を記録したチェックポイントテーブルと、ユーザーから前記行事の開始および終了の通知を受け付ける入力部が前記開始の通知を受け付けてからの経過時間とに基づいて前記行事の進捗度を計算し、前記計算した進捗度に基づいて、色相環上の色と前記進捗度との対応を記憶した色彩管理部から色相環上の対応する色を取得し、前記取得した色を表示部に表示させる制御部としてコンピューターを機能させる。
【発明の効果】
【００１５】
以上のように、本発明によれば、会議やプレゼンテーションを邪魔せず、予定した時間配分と発表の進捗とのずれを発表者に直感的に伝達することが出来る。
【図面の簡単な説明】
【００１６】
【図１】本発明で用いる色相環とその利用方法を示す図である。
【図２】本発明の一実施形態にかかる電子機器１の構成図である。
【図３】第１の具体例において、スクリーンに投影された画像１０１の例を示す図である。
【図４】第２の具体例を示す図である。
【図５】電子機器１における処理の流れについて説明するためのフローチャートである。
【図６】会議が行われる際に、表示部１００の提示する色がどのように変更されていくかの具体例を示す図である。
【図７】会議やプレゼンテーションの時間経過の状況を色で提示する際の、色の変化率の変形例を示す図である。
【発明を実施するための形態】
【００１７】
以下、図面を参照しながら、本発明の実施形態を説明する。
【００１８】
［概要］
最初に、本発明の一実施形態にかかる電子機器の概要について説明する。本発明の一実施形態にかかる電子機器は、行事の参加者に、行事の開始からの経過時間および予定とのずれなどを、表示部の色の変化により伝えるものである。行事として、以下の説明では、会議やプレゼンテーションを例に挙げて説明するが、それ以外にも制限時間のある試合やゲームなどにも本発明の電子機器を利用することが出来る。
【００１９】
なお、表示部は、プロジェクターによりスクリーンに投影される画面の一部を占める領域であってもよいし、別途設けられた色相環に含まれる色を発光可能なライト等であってもよい。
【００２０】
本発明では、色を変化させる際に、色相環に従って色を変化させる。そのため、定量的かつグラデーションにより徐々に色を変化させることが出来る。上述した先行技術のように、青色から、黄色、赤色というように、全く異なった色に瞬時に切り替える場合、色の変化が目立ってしまい、会議やプレゼンテーションを邪魔する可能性がある。しかし、本発明では、グラデーションにより徐々に色を変化させるので、色の急激な切り替えにより経過時間等を示す表示部が必要以上に目立ってしまう状況を避けることが出来る。
【００２１】
本発明では、色相環に沿って一周する形で表示部の色を変化させるので、会議やプレゼンテーションの開始からの時間経過（進捗度）を定量的に参加者に通知することが出来る。なお、色相環に沿って一周させる以外に、色相環上の特定の色から別の特定の色まで、色相環に沿って色を変化させてもよい。
【００２２】
また、本発明では、会議の開始・終了の予定時刻や、１つの会議に含まれる複数のプレゼンテーションの開始・終了の予定時刻をチェックポイントテーブルという形で記憶しているので、実際の進行と予定時刻とのずれを表示部の色の変化で参加者に通知することが出来る。
【００２３】
以上、本発明の一実施形態にかかる電子機器の概要について説明した。
【００２４】
［色相環とその利用方法］
次に、本発明で用いる色相環とその利用方法について説明する。図１は、本発明で用いる色相環とその利用方法を示す図である。
【００２５】
図１に示す色相環では、黄色を上方に配置して、そこから反時計回りに６０度ごとに、緑、シアン、青、マゼンダ、赤が配置されている。なお、以下の説明および図示では、黄色、緑、シアン、青、マゼンダ、赤をそれぞれ、Ｙ、Ｇ、Ｃ、Ｂ、Ｍ、Ｒと省略して表すこともある。なお、本発明では、色が連続して変化する色相環以外に、色の数がより少ない色相環、例えば上記ＹからＲまでの６色により構成された色相環も用いることが出来る。
【００２６】
本発明の電子機器では、色を変化させる時に、色相環の特定の箇所（第１の位置、進捗度０％）の色から発光を開始し、色相環の特定の箇所（第２の位置、進捗度１００％）まで、時計回りまたは反時計回りの特定の方向に色相環に沿う形で移動させる箇所（第３の位置）に対応する色を用いて発光色を変化させてゆく。
【００２７】
色の変化率は、図１に示すように、角度θの変化量を線形に変化させる方法や、角度θの変化率を、徐々に増加させるように、非線形に変化させる方法がある。
【００２８】
角度θを線形に変化させる場合、会議全体の時間に対する会議の進捗度（経過時間）の割合をパーセントで示し、Ｇで１６％、Ｃで３３％、Ｂで５０％、Ｍで６６％、Ｒで８３％、Ｙに戻って１００％というように会議の参加者に通知することが出来る。
【００２９】
例えば、会議が開始から３３％進捗した時点では、３６０度の３３％ということで、色相環上、Ｙを起点としてθ＝１２０度の位置にあるＣを表示部の表示色としてもよい。
【００３０】
以上、本発明で用いる色相環とその利用方法について説明した。
【００３１】
［構成］
次に、本発明の一実施形態にかかる電子機器の構成について説明する。図２は、本発明の一実施形態にかかる電子機器１の構成図である。
【００３２】
電子機器１は、表示部１００、入力部２００、制御部３００を備えている。また、制御部３００は、色彩管理部３０１、時間管理部３０２、チェックポイント管理部３０３を有している。なお、電子機器１としてＰＣ（Personal Computer）を用いることも出来る。
【００３３】
表示部１００は、会議やプレゼンテーションの進行状況（経過時間）に応じて、変化させた色を提示する。表示部１００は、スクリーンとプロジェクターを用いて行う会議やプレゼンテーションでは、発表内容を映すスクリーンとプロジェクターを兼用して用いてもよい。また、表示部１００は、１個以上の、色相環に沿った色を発色可能なライトでもよい。表示部１００は、携帯型の端末機器でもよい。
【００３４】
入力部２００は、制御部３００に対して、会議やプレゼンテーションの開始および終了予定時刻を入力するために用いられたり、会議に参加しているユーザーが制御部３００二対して実際に会議やプレゼンテーションが開始されたタイミングおよび終了されたタイミングを通知するために用いられたりする。
【００３５】
電子機器１としてＰＣを用いる場合、マウスやキーボードを入力部２００として用いてもよい。また、入力部２００は、ユーザーの特定の動き（ジェスチャー）を検出するモーションセンサーを用いて構成してもよい。
【００３６】
制御部３００は、電子機器１の各部を制御する。
【００３７】
色彩管理部３０１は、色相環に関するデータを記憶しており、会議やプレゼンテーションの進捗度合いを入力すると、その進捗率に応じた色を生成するためのデータを出力する。出力は、例えばＲＧＢデータとして出力されてもよい。
【００３８】
時間管理部３０２は、会議またはプレゼンテーションの開始がユーザーにより入力されてからの経過時間を計時する。また、予定時間と実際の経過時間とのずれも計算する。
【００３９】
チェックポイント管理部３０３は、ユーザーが入力部２００を介して入力した、会議およびプレゼンテーションの開始予定時刻および終了予定時刻を、チェックポイントテーブルとして記憶する。チェックポイントテーブルは、会議やプレゼンテーションの予定時刻と実際の時刻のズレをチェックするために用いられる。
【００４０】
以上、本発明の一実施形態にかかる電子機器１の構成について説明した。
【００４１】
［表示部の具体例］
次に、表示部１００の具体例を２例、説明する。第１の具体例は、電子機器１をＰＣとして実現した場合に、ＰＣをプロジェクターに繋ぎ、ＰＣで生成した画像をプロジェクター経由でスクリーンに投影する構成とする具体例である。図３は、第１の具体例において、スクリーンに投影された画像１０１の例を示す図である。
【００４２】
画像１０１は、発表者が発表内容を表示させるための領域Area4に加えて、色相環の色を表示するための領域Area1、Area2、およびArea3を有している。この例では、領域Area4の下側に、３つの領域Area1、Area2、およびArea3を設けている。
【００４３】
例えば、１つの会議が複数のプレゼンテーションを含んで構成されている場合、領域Area1は、会議全体の経過時間を色相環の色の変化により提示するための領域とし、領域Area2は、会議に含まれるプレゼンテーションごとの経過時間を色相環の色の変化により提示するための領域とし、領域Area3は、会議全体またはプレゼンテーションごとの予定と実際の時刻のずれを色相環の色の変化により提示するための領域としてもよい。
【００４４】
なお、これらの領域Area1、Area2、およびArea3は、必ずしも３つである必要はない。
【００４５】
第２の具体例は、電子機器１をＰＣと３つのライトＬ１、Ｌ２、およびＬ３で構成する例である。図４は、第２の具体例を示す図である。
【００４６】
３つのライトＬ１、Ｌ２、およびＬ３が表示部１００に相当する。なお、これらのライトＬ１、Ｌ２、およびＬ３は、それぞれ第１の具体例の領域Area1、Area2、Area3に相当するものであり、ＰＣからの指示に基づき、発光色を色相環上の各色に変化させることが出来るものである。
【００４７】
これらのライトＬ１、Ｌ２、およびＬ３を表示部１００として用いることにより、ＰＣやプロジェクター、スクリーンを用いない会議やプレゼンテーションにおいても、時間の経過や予定時間とのずれを参加者に通知することが出来る。
【００４８】
以上、表示部１００の具体例を２例、説明した。
【００４９】
［処理の流れ］
次に、電子機器１における処理の流れについて説明する。図５は、電子機器１における処理の流れについて説明するためのフローチャートである。なお、以下では、上述した第１の具体例として電子機器１を実現した場合を想定して説明する。
【００５０】
まず、入力部２００が、ユーザーから、電子機器１を使用する会議の開始および終了の予定時刻および会議に含まれるプレゼンテーショごとの開始および終了の予定時刻の入力を受け付ける（ステップＳ１）。なお、ここで説明に用いる会議は、その会議の中で複数のプレゼンテーションが行われるものであるとする。受け付けた開始予定時刻および終了予定時刻は、チェックポイント管理部３０３のチェックポイントテーブルに記憶される。
【００５１】
次に、制御部３００は、表示部１００の領域Area1、Area2、およびArea3に表示する色を、初期値である色に設定する（ステップＳ２）。ここでは、領域Area1およびArea2の初期値の色はＹであるとし、領域Area3の初期値の色はＭであるとする。
【００５２】
次に、制御部３００が、入力部２００を介して、会議の開始の通知をユーザーから受け付ける（ステップＳ３）。会議の開始の通知に基づいて、時間管理部３０２が、会議開始からの経過時間の計時を開始する。
【００５３】
次に、制御部３００は、時間管理部３０２からの出力と、色彩管理部３０１の記憶する色相環データとに基づいて、表示部１００の領域Area1の表示色を段階的に変更していく（ステップＳ４）。
【００５４】
次に、制御部３００が、入力部２００を介して、会議に含まれる個々のプレゼンテーションの開始の通知をユーザーから受け付ける（ステップＳ５）。プレゼンテーションの開始の通知に基づいて、時間管理部３０２が、プレゼンテーション開始からの経過時間の計時を開始する。
【００５５】
次に、制御部３００は、時間管理部３０２からの出力と、色彩管理部３０１の記憶する色相環データとに基づいて、表示部１００の領域Area2の表示色を段階的に変更していく（ステップＳ６）。
【００５６】
次に、制御部３００は、時間管理部３０２からの出力と、チェックポイント管理部３０３が記憶するチェックポイントテーブルとを比較し、プレゼンテーションの予定時刻と実際の時刻とのずれが存在するか否かを判断する（ステップＳ７）。
【００５７】
予定時刻と実際の時刻とのずれが存在する場合（ステップＳ７のＹ）、制御部３００は、表示部１００の領域Area3の表示色を、初期値のＭを色相環の起点として、時計回り方向または反時計回り方向に変更していく（ステップＳ８）。
【００５８】
ステップＳ８における色の変更方法としては、例えば、Ｍを起点として、実際の時刻が予定時刻より早い（巻いている）場合、そのずれの程度に応じて色相環上をＢの方向に色を変化させ、実際の時刻が予定時刻をオーバーしている（押している）場合、そのずれの程度に応じて色相環上をＲの方向に色を変化させてもよい。
【００５９】
次に、制御部３００は、１つの会議に含まれるプレゼンテーションが全て終了したか否かを判断する（ステップＳ９）。
【００６０】
まだ全てのプレゼンテーションが終了していない場合（ステップＳ９のＮ）、ステップＳ５に戻って、制御部３００が次のコマのプレゼンテーションの開始を受け付ける。
【００６１】
全てのプレゼンテーションが終了した場合（ステップＳ９のＹ）、制御部３００は、入力部２００を介して、会議全体の終了通知をユーザーから受け付ける（ステップＳ１０）。この処理により、会議の経過時間に関する計時処理が終了する。
【００６２】
以上、電子機器１における処理の流れについて説明した。
【００６３】
［時間経過と発光の具体例］
次に、会議が行われる際に、表示部１００の提示する色がどのように変更されていくかを具体例で説明する。図６は、会議が行われる際に、表示部１００の提示する色がどのように変更されていくかの具体例を示す図である。
【００６４】
図６の上側３行が、ユーザーにより電子機器１に入力されたチェックポイントテーブルの具体例である。この例では、１つの会議に２つのプレゼンテーションが含まれている。会議の開始予定時刻は１：００、終了予定時刻は２：００になっており（図のＣＰＡ参照）、１つめのプレゼンテーション１の開始予定時刻は１：１０、終了予定時刻は１：３０になっている（ＣＰ１参照）。２つめのプレゼンテーション２の開始予定時刻は１：３０、終了予定時刻は２：００である（ＣＰ２参照）。
【００６５】
図６の中程３行が、実際に会議が行われた際の時間の実績である。プレゼンテーション１は予定通りに開始されたが、終了時刻が１０分遅れ、１：４０になっている（ＰＲ１参照）。そのため、プレゼンテーション２の開始時刻も遅れ１：４０になっている。プレゼンテーション２は予定通り３０分間で終了したが、開始時間が１０分遅かったため、終了時刻も１０分遅れ２：１０になっている（ＰＲ２参照）。会議全体としては、１：００に開始され、２：１０に終了している（ＰＲＡ参照）。
【００６６】
上記のように、会議の予定と実際の時間が経過したとき、表示部１００の各領域Area1、Area2、およびArea3の色は、例えば以下のように変更される。
【００６７】
まず、会議全体の進行状況（経過時間）を示す領域Area1の表示色は、１：００にＹから開始され、２：００にＹで終了するまで、等間隔で、Ｇ、Ｃ、Ｂ、Ｍ、Ｒの順で線形に変更されている（Ｃ１参照）。
【００６８】
各プレゼンテーションの進行状況（経過時間）を示す領域Area2の表示色は、プレゼンテーション１の進行状況を示すために、１：１０にＹから開始され、終了予定時刻の１：３０にＹに変化した後は、１：４０までＹのままとなる（Ｃ２１参照）。１：１０にＹで開始されてから１：３０にＹに戻るまで、等間隔で、Ｇ、Ｃ、Ｂ、Ｍ、Ｒの順で線形に変更されている。
【００６９】
プレゼンテーション１は、予定より１０分遅れたため、領域Area3の提示する色が、初期値はＭであったものが、１：３０から変化を始め、１：４０にはＲまで変化している（Ｃ３参照）。
【００７０】
プレゼンテーション２に関しては、１：４０にＹから変化を開始し、２：１０にＹに戻るまで、等間隔で、Ｇ、Ｃ、Ｂ、Ｍ、Ｒの順で線形に変更されている（Ｃ２２参照）。
【００７１】
なお、上記の具体例では、領域Area3は、プレゼンテーションごとの予定と実際に時間のずれを表示することとしたが、これに限らず、領域Area3が、会議全体の予定と実際の時間のずれを表示してもよい。
【００７２】
以上、会議が行われる際に、表示部１００の提示する色がどのように変更されていくかを具体例で説明した。
【００７３】
［変形例１］
次に、会議やプレゼンテーションの時間経過の状況を色で提示する際の、色の変化のさせ方の変形例を説明する。図７は、会議やプレゼンテーションの時間経過の状況を色で提示する際の、色の変化率の変形例を示す図である。
【００７４】
図７の上側は、上述した色を変更する具体例で説明した変更方法である。表示部１００の色は、Ｙから開始し、色相環上をＹに戻るまで、等間隔（線形）で、Ｇ、Ｃ、Ｂ、Ｍ、Ｒの順で線形に変更されている（Ｃ２参照）。
【００７５】
図７の下側は、本変形例での色の変更方法である。表示部１００の色の変更が、Ｙから開始され、色相環に沿って色を変化させ、Ｙに戻る点と、色がＧ、Ｃ、Ｂ、Ｍ、Ｒの順で変更される点は上側の例と同じであるが、色を変更する時間間隔は等間隔ではなく（非線形）、時間が経過するにつれて、変化の度合いが増加している（Ｃ２'参照）。この変化の度合いは、上述した角度θの変化率を増加させることにより実現できる。
【００７６】
このように、色の変更を非線形とし、終了予定時刻が迫ってくるのに従い、より早い時間間隔で色を変化させることにより、会議の発表者や参加者に、より確実に終了予定時刻が迫ってきていることを通知することが出来る。
【００７７】
以上、会議やプレゼンテーションの時間経過の状況を色で提示する際の、色の変化のさせ方の変形例を説明した。
【００７８】
［変形例２］
上記の説明では、色相環による色相の違いのみにより、通知したい情報の提示を行ったが、これに限らず、色の濃さ（彩度）や色の明るさ（明度）も用いて、通知したい情報の相違を表してもよい。
【００７９】
［補足事項］
その他、本発明は、上述の実施形態にのみ限定されるものではなく、本発明の要旨を逸脱しない範囲内において種々変更を加え得ることは勿論である。
【符号の説明】
【００８０】
１  …  電子機器
１００  …  表示部
２００  …  入力部
３００  …  制御部
３０１  …  色彩管理部
３０２  …  時間管理部
３０３  …  チェックポイント管理部
【図１】
0006354456.tif 000002
【図２】
0006354456.tif 000003
【図３】
0006354456.tif 000004
【図４】
0006354456.tif 000005
【図５】
0006354456.tif 000006
【図６】
0006354456.tif 000007
【図７】
0006354456.tif 000008